(57)【特許請求の範囲】
【請求項１】
センサーと、当該センサーから出力される検出信号に基づいて制御を行う制御部とを備えた電子機器であって、
ヒーターと、
該ヒーターに電力を供給する電源回路と、
該電源回路から前記ヒーターへの電源ラインと並走するノイズ検出ラインと、
前記電源ラインから前記ノイズ検出ラインに伝播されたＡＣラインノイズを検出するノイズ判定部とを具備し、
前記制御部は、前記ノイズ判定部によって前記ＡＣラインノイズが検出されたタイミングから予め設定された無効期間、前記センサーから出力される検出信号を無効化することを特微とする電子機器。
【請求項２】
前記ノイズ検出ラインは、前記センサーのセンサー出力ラインよりも高いインピーダンスに設定されていることを特徴とする請求項１記載の電子機器。
【請求項３】
前記ノイズ判定部は、前記ＡＣラインノイズとして検出するノイズ検出回路と、
該ノイズ検出回路によって前記ＡＣラインノイズが検出されたタイミングから前記無効期間、オン状態となるセンサー出力無効信号を生成する無効信号生成回路とを具備することを特徴とする請求項１又は２記載の電子機器。
【発明の詳細な説明】
【技術分野】
【０００１】
本発明は、ヒーターと、フォトセンサー等のセンサーとを備えた電子機器に関する。
【背景技術】
【０００２】
電子機器である画像形成装置では、湿気を含んだ記録紙を使用すると、紙送りが正常に稼動せず、ジャムの発生頻度が高くなることが知られている。そこで、給紙カセットにカセットヒーターが設け、給紙カセットに収納された記録紙を除湿することが行われている。
【先行技術文献】
【特許文献】
【０００３】
【特許文献１】特開２００５−２５２９４５号公報
【発明の概要】
【発明が解決しようとする課題】
【０００４】
しかしながら、カセットヒーターには、商用交流電源から電源回路を介して電力が供給されるが、商用交流電源の事情により電源ラインにノイズが発生する場合がある。このノイズは、ＡＣラインノイズとして搬送スイッチ（給紙カセットからの記録紙の給送を検出するフォトセンサー等のセンサー）のセンサー出力ラインに影響を及ぼし、センサー出力が誤検出される虞がある。
電源ラインとセンサー出力ラインとを並走させないように対策を行うこともできるが、省スペース化を行う場合には、電源ラインとセンサー出力ラインとの距離を十分に確保することが困難である。
また、電源回路や電源ラインに、コンデンサー等で構成されたノイズフィルターや、差動アンプの差動増幅処理を用いたノイズフィルター（例えば、特許文献１参照）を備え、ＡＣラインノイズを取り除くことも考えられるが、ＡＣラインノイズのような高周波ノイズは、低価格なノイズフィルターでは完全に取り除くことは難しい。
【０００５】
本発明の目的は、上記問題点に鑑み、従来技術の問題を解決し、ヒーターに電力を供給する電源ラインに発生するＡＣラインノイズによるセンサー出力の誤検出を防止することができる電子機器を提供することにある。
【課題を解決するための手段】
【０００６】
本発明の電子機器は、センサーと、当該センサーから出力される検出信号に基づいて制御を行う制御部とを備えた電子機器であって、ヒーターと、該ヒーターに電力を供給する電源回路と、該電源回路から前記ヒーターへの電源ラインと並走するノイズ検出ラインと、前記電源ラインから前記ノイズ検出ラインに伝播されたＡＣラインノイズを検出するノイズ判定部とを具備し、前記制御部は、前記ノイズ判定部によって前記ＡＣラインノイズが検出されたタイミングから予め設定された無効期間、前記センサーから出力される検出信号を無効化することを特微とする。
さらに、本発明の電子機器において、前記ノイズ検出ラインは、前記センサーのセンサー出力ラインよりも高いインピーダンスに設定されていても良い。
さらに、本発明の電子機器において、前記ノイズ判定部は、前記ＡＣラインノイズとして検出するノイズ検出回路と、該ノイズ検出回路によって前記ＡＣラインノイズが検出されたタイミングから前記無効期間、オン状態となるセンサー出力無効信号を生成する無効信号生成回路とを備えていても良い。
【発明の効果】
【０００７】
本発明によれば、ヒーターに電力を供給する電源ラインに発生するＡＣラインノイズを検出し、ＡＣラインノイズを検出したタイミングから予め設定された無効期間、センサー出力を無効化することで、ＡＣラインノイズによるセンサー出力の誤検出を防止することができるという効果を奏する。
【図面の簡単な説明】
【０００８】
【図１】本発明に係る電子機器の実施の形態の構成例を示す概略断面図である。
【図２】図１に示す電子機器の概略構成を示すブロック図である。
【図３】図２に示す電源回路及びノイズ判定部の構成を示すブロック図である。
【発明を実施するための形態】
【０００９】
次に、本発明の実施の形態を、図面を参照して具体的に説明する。
本実施の形態の電子機器は、複写機等の画像形成装置１００であり、図１を参照すると、原稿読取部１２０と、原稿給送部１３０と、記録部１４０とを備えている。原稿読取部１２０は、記録部１４０の上部に配設され、原稿給送部１３０は、原稿読取部１２０の上部に配設されている。また、画像形成装置１００の前面側には、画像形成装置１００の設定や動作指示を行うタッチパネル装置１０が配設されている。なお、本件の画像形成装置１００は、複写機で説明したが、スキャナー、複合機等が含まれるのは、言うまでもない。
【００１０】
原稿読取部１２０は、スキャナー１２１と、プラテンガラス１２２と、原稿読取スリット１２３とを備える。スキャナー１２１は、露光ランプやＬＥＤ等の発光手段と、ＣＣＤ(Charge Coupled Device)センサー等の読み取り手段とを備え、原稿給送部１３０による原稿ＭＳの搬送方向に移動可能に構成されている。プラテンガラス１２２は、ガラス等の透明部材により構成された原稿台である。原稿読取スリット１２３は、原稿給送部１３０による原稿ＭＳの搬送方向と直交方向に形成されたスリットを有する。
【００１１】
プラテンガラス１２２に載置された原稿ＭＳを読み取る場合には、スキャナー１２１は、プラテンガラス１２２に対向する位置に移動され、プラテンガラス１２２に載置された原稿ＭＳを走査しながら原稿ＭＳを読み取って画像データーを取得し、取得した画像データーを記録部１４０に出力する。また、原稿給送部１３０により搬送された原稿ＭＳを読み取る場合には、スキャナー１２１は、原稿読取スリット１２３と対向する位置に移動され、原稿読取スリット１２３を介し、原稿給送部１３０による原稿ＭＳの搬送動作と同期して原稿ＭＳを読み取って画像データーを取得し、取得した画像データーを記録部１４０に出力する。
【００１２】
原稿給送部１３０は、原稿載置部１３１と、原稿排出部１３２と、原稿搬送機構１３３とを備えている。原稿載置部１３１に載置された原稿ＭＳは、原稿搬送機構１３３によって、１枚ずつ順に繰り出されて、原稿読取部１２０の原稿読取スリット１２３に対向する位置へ搬送され、その後、原稿排出部１３２に排出される。なお、原稿給送部１３０は、可倒式に構成され、原稿給送部１３０を上方に持ち上げることで、プラテンガラス１２２の上面を開放させることができる。
【００１３】
記録部１４０は、画像形成部１５０を備えると共に、給紙部１６０と、搬送路１７０と、搬送ローラー１８１と、排出ローラー１８２と、排出トレイ１９０とを備えている。
【００１４】
給紙部１６０は、記録紙Ｐを収納する複数の給紙カセット１６１ａ〜ｄと、給紙カセット１６１ａ〜ｄから記録紙Ｐを１枚ずつ搬送路１７０に繰り出す給紙ローラー１６２と、給紙カセット１６１ａ〜ｄに収納された記録紙Ｐの除湿を行うカセットヒーター１６３と、給紙ローラー１６２によって給紙カセット１６１ａ〜ｄから繰り出された記録紙Ｐを検出する搬送スイッチ４とを備えている。給紙ローラー１６２、搬送ローラー１８１及び排出ローラー１８２が搬送部として機能し、記録紙Ｐが搬送される。給紙ローラー１６２によって給紙カセット１６１ａ〜ｄから繰り出された記録紙Ｐは、搬送スイッチ４によって検出され、搬送ローラー１８１によって所定のタイミングで画像形成部１５０に搬送される。なお、搬送スイッチ４としては、フォトセンサーが用いられている。そして、画像形成部１５０によって記録が施された記録紙Ｐは、排出ローラー１８２によって機外に出力される。記録が施された記録紙Ｐは、排出ローラー１８２に導かれ、排出トレイ１９０に出力される。
【００１５】
画像形成部１５０は、感光体ドラム１５１と、帯電部１５２、露光部１５３と、現像部１５４と、転写部１５５と、クリーニング部１５６と、定着部１５７とを備えている。露光部１５３は、レーザー装置やミラー等を備えた光学ユニットであり、画像データーに基づいてレーザー光を出力して、帯電部１５２によって帯電された感光体ドラム１５１を露光し、感光体ドラム１５１の表面に静電潜像を形成する。現像部１５４は、トナーを用いて感光体ドラム１５１に形成された静電潜像を現像する現像ユニットであり、静電潜像に基づいたトナー像を感光体ドラム１５１上に形成させる。転写部１５５は、現像部１５４によって感光体ドラム１５１上に形成されたトナー像を記録紙Ｐに転写させる。定着部１５７は、転写部１５５によってトナー像が転写された記録紙Ｐを加熱してトナー像を記録紙Ｐに定着させる。
【００１６】
次に、画像形成装置１００のハードウェア構成例について図２を参照して説明する。
タッチパネル装置１０、原稿読取部１２０、原稿給送部１３０、画像形成部１５０及び搬送部（給紙ローラー１６２、搬送ローラー１８１、排出ローラー１８２）は、制御部１に接続され、制御部１によって動作制御される。また、制御部１には、記憶部２と、画像処理部３と、ノイズ判定部６とが接続されている。
【００１７】
制御部１は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部１は、ＲＯＭに記憶されている制御プログラムを読み出し、制御プログラムをＲＡＭに展開させることで、タッチパネル装置１０から入力された所定の指示情報や搬送スイッチ４から出力される検出信号に応じて記録紙Ｐの搬送制御を及び画像形成制御を行う。
【００１８】
記憶部２は、半導体メモリやＨＤＤ（Hard Disk Drive）等の記憶手段であり、原稿読取部１２０によって原稿を読み取ることで取得された画像データーが記憶される。
【００１９】
画像処理部３は、画像データーに対して所定の画像処理を行う手段であり、例えば、拡大縮小処理や、濃度調整、階調調整等の画像改善処理が行われる。
【００２０】
ノイズ判定部６は、カセットヒーター１６３用の電源回路５からカセットヒーター１６３に電力を供給する電源ライン５０に発生するＡＣラインノイズを検出する。
【００２１】
電源回路５は、図３を参照すると、ノイズフィルター５１と、突入電流防止回路５２と、入力整流平滑回路５３と、コンバーター回路５４と、出力平滑回路５５とを備えている。ノイズフィルター５１は、商用交流電源から入力される入力交流電圧に重畳されたノイズを取り除く、コンデンサー等で構成された回路である。突入電流防止回路５２は、ノイズフィルター５１の後段に設けられ、電源投入時の突入電流を抑える抵抗やサーミスタ等の電子部品で構成された回路である。入力整流平滑回路５３は、突入電流防止回路５２の後段に設けられ、入力交流電圧を脈流に整流した後に平滑するダイオードブリッジや平滑コンデンサー等で構成された回路である。コンバーター回路５４は、入力整流平滑回路５３の後段に設けられ、入力整流平滑回路５３によって整流平滑された直流電圧を所望の出力電圧に変換する回路である。そして、出力平滑回路５５は、コンバーター回路５４の後段に設けられ、コンバーター回路５４によって変換された出力電圧を平滑する平滑コンデンサー等で構成された回路である。
【００２２】
ノイズ判定部６には、図３に示すように、電源回路５からカセットヒーター１６３に電力を供給する電源ライン５０に並走するノイズ検出ライン６０が接続されている。ノイズ検出ライン６０は、接地端子との間に介装された抵抗６３によって、搬送スイッチ４のセンサー出力を制御部１に伝えるセンサー出力ライン４０よりも高いインピーダンスに設定されている。また、ノイズ検出ライン６０は、センサー出力ライン４０により近い位置で電源ライン５０と並走するように設けられている。これにより、センサー出力ライン４０に影響を及ぼすＡＣラインノイズが電源ライン５０に発生した場合には、電源ライン５０からノイズ検出ライン６０にもＡＣラインノイズが確実の伝播されることになる。
【００２３】
ノイズ判定部６はハイパスフィルター６１と、積分回路６２とを備えている。高周波ノイズであるＡＣラインノイズは、低価格のフィルターで完全に取り除くことは難しい。そこで、ハイパスフィルター６１を用いて、電源ライン５０からノイズ検出ライン６０に伝播されたＡＣラインノイズを検出する。すなわち、高周波ノイズであるＡＣラインノイズは、ハイパスフィルター６１を通過する。そして、積分回路６２は、ハイパスフィルター６１を通過したＡＣラインノイズを積分することで、ＡＣラインノイズの検出から所定時間ハイレベルとなるパルス信号を生成し、生成したパルス信号をセンサー出力無効信号として制御部１に入力する。
【００２４】
制御部１は、センサー出力無効信号がハイレベルの間、すなわち、ＡＣラインノイズが検出されたタイミングから予め設定された無効期間は、搬送スイッチ４から出力される検出信号を無効化する。一般的に、ＡＣラインノイズは、短期間に連続して発生することが多く、この連続して発生するＡＣラインノイズがセンサー出力や制御部１に影響を及ぼし、センサー出力が誤検出されてしまう。そこで、本実施の形態では、ＡＣラインノイズが検出されたタイミングから予め設定された無効期間は、搬送スイッチ４から出力される検出信号を無効化しているため、連続して発生するＡＣラインノイズによってセンサー出力や制御部１が影響されず、ＡＣラインノイズによるセンサー出力の誤検出が防止される。
【００２５】
以上説明したように本実施の形態は、センサーである搬送スイッチ４と、搬送スイッチ４から出力される検出信号に基づいて制御を行う制御部１とを備えた電子機器である画像形成装置１００であって、カセットヒーター１６３と、カセットヒーター１６３に電力を供給する電源回路５と、電源回路５からカセットヒーター１６３への電源ライン５０と並走するノイズ検出ライン６０と、電源ライン５０からノイズ検出ライン６０に伝播されたＡＣラインノイズを検出するノイズ判定部６とを具備し、制御部１は、ノイズ判定部６によってＡＣラインノイズが検出されたタイミングから予め設定された無効期間、搬送スイッチ４から出力される検出信号を無効化する。
この構成により、搬送スイッチ４に電力を供給する電源ライン５０に発生するＡＣラインノイズを検出し、ＡＣラインノイズを検出したタイミングから予め設定された無効期間、センサー出力を無効化することで、連続して発生するＡＣラインノイズによってセンサー出力が影響されないため、ＡＣラインノイズによるセンサー出力の誤検出を防止することができる。
【００２６】
さらに、本実施の形態において、ノイズ検出ライン６０は、搬送スイッチ４のセンサー出力ライン４０よりも高いインピーダンスに設定されている。
この構成により、搬送スイッチ４のセンサー出力ライン４０に影響を及ぼすＡＣラインノイズを確実にノイズ検出ライン６０に伝播させることができ、より確実にＡＣラインノイズを検出することができる。
【００２７】
さらに、本実施の形態において、ノイズ判定部６は、ＡＣラインノイズとして検出するノイズ検出回路として機能するハイパスフィルター６１と、ハイパスフィルター６１によってＡＣラインノイズが検出されたタイミングから無効期間、オン状態となるセンサー出力無効信号を生成する無効信号生成回路として機能する積分回路６２とを備えている。
この構成により、安価な構成でＡＣラインノイズを検出することができる。
なお、上記実施の形態においては、ノイズ判定部６はハイパスフィルター６１と、積分回路６２とを備えて構成されるが、ハイパスフィルター６１と、積分回路６２との間にダイオードを備えてもよい。このように構成すると、ハイパスフィルター６１からの出力の両極性側にＡＣラインノイズが現れる場合には、ダイオードによりその片方の極性側のＡＣラインノイズを除去して積分回路６２に入力することができる。そのため、積分回路６２において反対極性側のＡＣラインノイズにより積分信号が減算（相殺）されること等を防止でき、好ましいパルス信号を出力することができる。
【００２８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００２９】
１  制御部
２  記憶部
３  画像処理部
４  搬送スイッチ
５  電源回路
６  ノイズ判定部
１０  タッチパネル装置
４０  センサー出力ライン
５０  電源ライン
５１  ノイズフィルター
５２  突入電流防止回路
５３  入力整流平滑回路
５４  コンバーター回路
５５  出力平滑回路
６０  ノイズ検出ライン
６１  ハイパスフィルター
６２  積分回路
６３  抵抗
１００  画像形成装置
１２０  原稿読取部
１２１  スキャナー
１２２  プラテンガラス
１２３  原稿読取スリット
１３０  原稿給送部
１３１  原稿載置部
１３２  原稿排出部
１３３  原稿搬送機構
１４０  記録部
１５０  画像形成部
１５１  感光体ドラム
１５２  帯電部
１５３  露光部
１５４  現像部
１５５  転写部
１５６  クリーニング部
１５７  定着部
１６０  給紙部
１６１ａ〜ｄ  給紙カセット
１６２  給紙ローラー
１６３  カセットヒーター
１７０  搬送路
１８１  搬送ローラー
１８２  排出ローラー
１９０  排出トレイ
【図１】
0005976727.tif 000002
【図２】
0005976727.tif 000003
【図３】
0005976727.tif 000004